(57)【特許請求の範囲】
【請求項１】
被験者眼の眼底を撮像して眼底観察像を得る眼底観察手段と、
前記被験者眼の前眼部を撮像して前眼部観察像を得る前眼部観察手段と、
タッチパネル機能を有するモニタと、
前記モニタの画面の表示を制御する表示制御手段と、
前記眼底観察像が表示される眼底観察画面と、前記前眼部観察像が表示される前眼部観察画面とを切換える画面切換手段とを備え、
前記表示制御手段は、
前記前眼部観察画面には、前記タッチパネル機能を利用して撮影条件を設定するためのアイコンを含む１又は複数のグラフィックを前記前眼部観察像と共に表示させ、
前記眼底観察画面には、前記眼底観察画面よりも小さな表示欄を形成し、前記複数のグラフィックの少なくともいずれかを消した状態で前記前眼部観察像を前記表示欄に表示させることを特徴とする眼底撮影装置。
【請求項２】
請求項１の眼底撮影装置であって、
前記表示制御手段は、
前記眼底観察画面には、撮影に必要な所要瞳孔径を示すレチクルを、前記眼底観察像と同時に前記表示欄に表示される前記前眼部観察像に電子的に形成させることを特徴とする眼底撮影装置。
【請求項３】
請求項２の眼底撮影装置であって、
前記レチクルは撮影に必要な通常の所要瞳孔径を示す第１レチクルと、該第１レチクルよりも小さい径であって小瞳孔径用の撮影に必要な最小の所要瞳孔径を示す第２レチクルと、の２つのレチクルから形成されていることを特徴とする眼底撮影装置。
【発明の詳細な説明】
【技術分野】
【０００１】
本発明は、被検者眼の眼底撮影を行う眼底撮影装置に関する。
【背景技術】
【０００２】
眼底撮影装置は、被検者眼の観察画像及び撮影画像が表示されるモニタを備え、モニタに表示された前眼部観察像を用いて装置と被検者眼のアライメントが行われる。また、アライメント完了後、フォーカス合わせが行われ、眼底のフォーカスが合った状態で可視の撮影光源が発光されることにより撮影された眼底撮影像がモニタに表示される。このような眼底撮影装置においては、位置合わせをより容易にするためにモニタに前眼部観察像と眼底観察像の両方が表示された状態で、撮影部と被検者眼とのアライメント及びフォーカス合わせが行われる装置が提案されている（例えば、特許文献１参照）。
【先行技術文献】
【特許文献】
【０００３】
【特許文献１】特開２０００‐５１３１号公報
【発明の概要】
【発明が解決しようとする課題】
【０００４】
しかし、特許文献１では単に位置合わせの容易化のために前眼部観察画像が眼底観察画像に重畳して表示されている程度であり、被検者眼の状態が撮影に適しているかを判断することは難しい。
【０００５】
本発明は、上記従来技術の問題点に鑑み、被検者眼の眼底を撮影するにあたって、眼底観察像と前眼部観察像とを共に見ながら位置合わせが行えると共に、被検者眼に対する撮影状態を容易に確認することのできる眼底撮影装置を提供することを技術課題とする。
【課題を解決するための手段】
【０００６】
上記課題を解決するために、本発明は以下のような構成を備えることを特徴とする。
【０００７】
被験者眼の眼底を撮像して眼底観察像を得る眼底観察手段と、前記被験者眼の前眼部を撮像して前眼部観察像を得る前眼部観察手段と、タッチパネル機能を有するモニタと、前記モニタの画面の表示を制御する表示制御手段と、前記眼底観察像が表示される眼底観察画面と、前記前眼部観察像が表示される前眼部観察画面とを切換える画面切換手段とを備え、前記表示制御手段は、前記前眼部観察画面には、前記タッチパネル機能を利用して撮影条件を設定するためのアイコンを含む１又は複数のグラフィックを前記前眼部観察像と共に表示させ、前記眼底観察画面には、前記眼底観察画面よりも小さな表示欄を形成し、前記複数のグラフィックの少なくともいずれかを消した状態で前記前眼部観察像を前記表示欄に表示させることを特徴とする。
【発明の効果】
【０００８】
本発明によれば、被検者眼の眼底を撮影するにあたって、眼底観察像と前眼部観察像とを共に見ながら位置合わせが行えると共に、被検者眼に対する撮影状態を容易に確認できる眼底撮影装置を提供できる。
【発明を実施するための形態】
【０００９】
以下、本発明の実施形態を図面に基づき説明する。図１は眼底撮影装置（眼底カメラ）の光学系及び制御系の概略構成図である。光学系は、照明光学系１０、被検者眼の眼底の観察・撮影を行う眼底観察・撮影光学系３０、被検者眼の眼底にスプリット指標（フォーカス指標）を投影するためのスプリット指標投影光学系４０、被検者眼の前眼部にアライメント用指標光束を投影するアライメント指標投影光学系５０、被検者眼の前眼部を撮影する前眼部観察光学系６０、被検者眼の視線を誘導するための固視標呈示光学系７０から構成されている。
【００１０】
＜照明光学系＞  照明光学系１０は、撮影照明光学系と観察照明光学系を有する。撮影照明光学系は、フラッシュランプ，ＬＥＤ等の可視の光束を照射する撮影光源１４、コンデンサレンズ１５、リング状の開口を有するリングスリット１７、リレーレンズ１８、ミラー１９、中心部に黒点を有する黒点板２０、リレーレンズ２１、孔あきミラー２２、対物レンズ２５を有する。観察照明光学系は、ハロゲンランプ等の近赤外光を含む光束を照射する照明光源１１、近赤外光の所定の波長域を透過させる赤外フィルタ１２、コンデンサレンズ１３、コンデンサレンズ１３とリングスリット１７との間に配置されたダイクロイックミラー１６、リングスリット１７から孔あきミラー２２までの光学系と、光路分岐部材としてのダイクロイックミラー（波長選択ミラー）２４、対物レンズ２５を有する。なお、ダイクロイックミラー１６は、赤外光を反射し可視光を透過する特性を持つ。また、ダイクロイックミラー２４は、観察照明光学系の赤外光源１１からの近赤外光の波長の光束を透過し、後述するアライメント指標投影光学系５０からの赤外光を反射する波長特性を有する。なお、ダイクロイックミラー２４は、ソレノイドとカム等により構成される挿脱機構６６により光路から挿脱可能に斜設されており、観察照明光学系を用いた眼底の観察時には光路に斜設され、撮影照明光学系による眼底の撮影時には光路から外される。
【００１１】
＜眼底観察・撮影光学系＞  眼底観察・撮影光学系３０は、眼底観察光学系と眼底撮影光学系を有する。眼底観察光学系は、対物レンズ２５、ダイクロイックミラー２４、孔あきミラー２２の開口近傍に位置する撮影絞り３１、光軸方向に移動可能なフォーカシングレンズ３２、結像レンズ３３、眼底撮影時には挿脱機構３９により光路から挿脱可能な跳ね上げミラー３４を備える。跳ね上げミラー３４の反射方向の光路には、赤外光反射・可視光透過の特性を有するダイクロイックミラー３７、リレーレンズ３６、赤外域に感度を有する観察用の二次元撮像素子３８が配置されており、赤外光源で照明された眼底像が撮影されるようになっている。一方、眼底撮影光学系は、対物レンズ２５と，撮影絞り３１から結像レンズ３３までの光学系を眼底観察光学系と共用する。眼底撮影光学系は、可視域に感度を有する撮影用の二次元撮像素子３５を備え、可視光源で照明された眼底像が撮影される。なお、撮影絞り３１は対物レンズ２５に関して被検者眼Ｅの瞳孔と略共役な位置に配置される。また、フォーカシングレンズ３２は、モータを備える移動機構４９にて光軸方向に移動される。
【００１２】
眼底の観察時には、照明光源１１を発した光束がダイクロイックミラー２４を透過し、対物レンズ２５によって被検者眼Ｅの瞳孔付近で一旦収束した後、拡散して被検者眼Ｅの眼底を照明する。眼底からの反射光は、対物レンズ２５、ダイクロイックミラー２４、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８に結像する。一方、眼底の撮影時には、撮影光源１４で照明された眼底からの反射光が、対物レンズ２５、孔あきミラー２２の開口部、撮影絞り３１、フォーカシングレンズ３２、結像レンズ３３を経て、二次元撮像素子３５に結像する。
【００１３】
＜スプリット指標投影光学系＞  スプリット指標投影光学系４０は、赤外光源４１、スリット指標板４２、スリット指標板４２に取り付けられた２つの偏角プリズム４３、投影レンズ４７、照明光学系１０の光路に斜設されたスポットミラー４４を備える。スポットミラー４４はレバー４５の先端に固着されており、通常は光軸に斜設されるが、撮影時にはロータリーソレノイド４６の軸の回転で、光路外に退避させられる。なお、スポットミラー４４は被検者眼Ｅの眼底と共役な位置に置かれる。光源４１、スリット指標板４２、偏角プリズム４３、投影レンズ４７、スポットミラー４４及びレバー４５は、フォーカシングレンズ３２と連動して移動機構４９により光軸方向に移動される。
【００１４】
また、スリット指標板４２の光束は、偏角プリズム４３及び投影レンズ４７を介してスポットミラー４４で反射された後、リレーレンズ２１、孔あきミラー２２、ダイクロイックミラー２４、対物レンズ２５を経て被検者眼Ｅの眼底に投影される。眼底のフォーカスが合っていないとき、スリット指標板４２の指標像は分離され、フォーカスが合っているときに一致して投影される。そして、被検者眼Ｅの眼底上に投影されたスプリット指標像（後述するスプリット指標像Ｓ１，Ｓ２）は、眼底観察用の撮像素子３８によって眼底像と共に撮像される。
【００１５】
＜アライメント指標投影光学系＞  アライメント指標投影光学系５０は、撮影光軸Ｌ１を中心とした同心円上に複数個の赤外光源が配置されており、撮影光軸Ｌ１を通る垂直平面を挟んで左右対称に配置された赤外光源５１とコリメーティングレンズ５２を持つ第１指標投影光学系（０度、及び１８０）と、第１指標投影光学系とは異なる位置に配置された複数の赤外光源５３を持つ第２指標投影光学系とを備える。この場合、第１指標投影光学系は被検者眼Ｅの角膜に無限遠の指標を左右方向から投影し、第２指標投影光学系は被検者眼Ｅの角膜に有限遠の指標を上下方向もしくな斜め方向から投影する。なお、赤外光源５１，５３は、眼底観察用の赤外光とは異なる波長域の赤外光を出射する。
【００１６】
＜前眼部観察光学系＞  前眼部観察光学系６０は、ダイクロイックミラー２４の反射側のフィールドレンズ６１、ミラー６２、絞り６３、リレーレンズ６４、赤外域の感度を持つ二次元撮像素子６５を備える。前眼部照明光源５８で照明された前眼部は、対物レンズ２５、ダイクロイックミラー２４、及びフィールドレンズ６１からリレーレンズ６４までの光学系を介して、二次元撮像素子６５で受光される。また、アライメント指標投影光学系５０の光源の点灯によるアライメント用光束の角膜からの反射光が、ダイクロイックミラー２４により反射し、二次元撮像素子６５で検出される。これにより、二次元撮像素子６５で撮像された前眼部像から被検者眼の瞳孔形状（瞳孔径）Ｐが得られると共に、アライメント指標の撮影により装置と被検者眼とのアライメント状態が検出される。
【００１７】
なお、孔あきミラー２２の穴周辺には、被検者眼の角膜上に光学アライメント指標（ワーキングドットＷ１）を形成するための２つの赤外光源５５が光軸Ｌ１を中心に左右対称に配置されている。なお、光源５５には、孔あきミラー２２の近傍位置に端面が配置される光ファイバに、赤外光を導く構成でも良い。なお、光源５５による角膜反射光は、被検者眼Ｅと図示を略す撮影部（装置本体）との作動距離が適切となったときに、眼底と略共役位置に配置された撮像素子３８の撮像面上に結像される。これにより、検者はモニタ８に眼底像が表示された状態で、光源５５により形成されるワーキングドットを用いてアライメントの微調整を行えるようになる。なお、撮影部には図１に示される光学系及び制御系が搭載されている。
【００１８】
＜固視標呈示光学系＞  固視標呈示光学系７０は、赤色等の可視光源７１と、複数の開口部が形成された遮光版又は表示制御で開口部の形成位置が切換えられる液晶ディスプレイ等の固視標切換部材７２、リレーレンズ７３とを有し、ダイクロイックミラー３７を介して跳ね上げミラー３４から対物レンズ２５までの観察光学系３０の光路を共用する。これにより、固視標切換部材７２の開口部が可視光源７１の前に選択的に配置されることで、光軸Ｌ２に対して異なる位置に固視標が呈示され、眼底中心部を撮影する標準撮影と眼底周辺部を撮影する周辺撮影とで固視標の呈示位置が変更されるようになる。なお、固視標切換部材７２を通過した光束は、リレーレンズ７３、ダイクロイックミラー３７、跳ね上げミラー３４、結像レンズ３３、フォーカシングレンズ３２、孔あきミラー２２、ダイクロイックミラー２４、対物レンズ２５を通過して眼底Ｅ投影されて、被検者眼の固視が行われる。
【００１９】
＜制御系＞  制御部８０は、眼底撮影装置の各種動作制御を行う。制御部８０には、上述した各二次元撮像素子、挿脱機構、移動機構、各光源等が接続される他、眼底撮影装置本体を被検者眼に対して前後左右方向に移動させるためのジョイスティック４、上述した光学系及び制御系が内部に設けられた撮影部を被検者眼に対して三次元方向に移動させるための駆動部６、前眼部像及び眼底観察（撮影）像が表示されるモニタ８、撮影開始のトリガ信号を入力するための撮影スイッチ９３、各種条件設定を行うための入力スイッチ９４、記憶部としてのメモリ９５等が接続されている。なお、本実施形態ではモニタ８の表示画面上には図示を略すタッチパネルが設けられており、タッチパネル機能を使用することが可能である。入力スイッチ９４以外にもタッチパネルの操作で各種入力操作が行えるようになっており、例えば、撮影光量の調節や固視灯の点灯位置変更等の撮影条件の各種設定を行うことが可能である。このような撮影条件の設定は、モニタ８上に複数用意（表示）されているアイコンを指等でタッチすることにより行われる。このような各種のアイコンは制御部８０の表示制御によってモニタ８画面の所定位置に形成される。
【００２０】
制御部８０は、被検者眼と装置とのアライメント時には、二次元撮像素子６５で撮像された前眼部像からアライメント指標を検出処理すると共に、瞳孔径Ｐを検出する。このとき、瞳孔径Ｐの中心位置（瞳孔中心）を求めるようにしても良い。また、制御部８０は、撮像素子６５の撮影信号に基づいて被検者眼に対する撮影部のアライメント偏位量を検出する。また、制御部８０は、被検者眼Ｅの前眼部像ＡＥが表示されるモニタ８の前眼部観察画面２００ａ上（図２参照）に、良好な撮影を行うために必要となる瞳孔径の大きさを示すレチクルＬＴ（ＬＴ１，ＬＴ２）を電子的に形成して表示させると共に、検出されたアライメント偏位量に応じて表示位置が移動されるアライメント指標Ａ１と、アライメント指標Ａ１の照準合わせに用いられるマークＡ２とを電子的に形成して前眼部観察画面２００ａ上に表示させる。
【００２１】
なお、本実施形態では、前眼部観察光学系６０の撮像素子６５と、眼底観察・撮影光学系３０の撮像素子３８からの入力信号が、同時に又は交互に（所定のステップで）制御部８０に入力される構成となっている。これにより、制御部８０は撮像素子６５と撮像素子３８からの情報を同時に又は交互に（所定のステップで）処理し、眼底のフォーカス合わせ時に、眼底観察像と前眼部観察像とがモニタ８の同一画面上に同時に動画として表示できるようになっている。なお、本実施形態では、眼底のフォーカス合わせ時に表示される眼底観察画面に前眼部像を重畳して表示するための表示欄が用意されており、表示欄には制御部８０によって前眼部観察画面に所定の画像処理が行われた前眼部画面が表示されるようになっている。
【００２２】
次に、以上のような構成を備える眼底カメラの動作を説明する。まず、検者は、入力スイッチ９４又は図示を略すタッチパネルの操作で各種条件設定を行う。なお、ここでは、被検者の右眼の眼底後極部付近の撮影（標準撮影）を行う例を説明する。なお、モニタ８には、はじめに前眼部観察画面２００ａが表示されている。固視標呈示光学系７０の光源の点灯により被検者眼が固視された状態で、ジョイスティック４の操作で図示を略す撮影部を被検者眼Ｅ（ここでは、右眼）を近づけて、モニタ８に前眼部像ＡＥとアライメント指標像とが表示されるようにする。
【００２３】
図２にモニタ８に表示される前眼部観察画面２００ａの例を示す。ここでは、図２（ａ）に、モニタ８に表示された前眼部像ＡＥのアライメントが合っていない状態、図２（ｂ）に、前眼部像ＡＥのアライメントが合っている状態が示されている。なお、モニタ８に表示される前眼部観察画面２００ａには、各種撮影条件を設定するための各種アイコンや、撮影やアライメントを支援するための様々なグラフィック、マークが用意されている。例えば、前眼部観察画面２００ａの上側には、撮影眼（右眼か左眼）を示す撮影眼表示マーク８１（８１ａ、８１ｂ）、内部固視標の呈示状態を示す固視標呈示アイコン８２，小瞳孔撮影モードの選択の有無が示される小瞳孔撮影アイコン８３が表示されている。また、モニタ８の表示画面の下側には、オートトラッキングの設定の有無や観察画面切換の自動設定の有無等が示される第１条件設定アイコン８４と、撮影光量を示す第２条件設定アイコン８５が表示されている。なお、このようなマーク８１やアイコン８２〜８５で示される各項目は、タッチパネルによる操作で設定変更可能とされる。
【００２４】
一方、モニタ８の画面中央部には、装置と被検者眼とのアライメントを行うための各種グラフィックが表示される。まず、被検者眼の角膜上に投影されたアライメント指標像が撮像素子６５で検出されると、制御部８０は、リング状に投影された指標像Ｍａ〜Ｍｈによって形成されるリング形状の中心のＸＹ座標を略角膜頂点（アライメント基準位置）として検出してアライメント指標Ａ１を電子的に表示させる。また、制御部８０は予め撮像素子６５上に設定されたＸＹ方向の基準となる位置（例えば、撮像素子６５の撮像面と撮影光軸Ｌ１との交点）に対応するモニタ８上に、アライメントの照準となるマークＡ２を電子的に表示させる。また、制御部８０は、マークＡ２の表示位置を中心として、通常の撮影時において必要とされる所要瞳孔径を示すレチクルＬＴ１と、小瞳孔撮影モードの場合において必要とされる所要（最小）瞳孔径を示すレチクルＬＴ２とをモニタ８上に表示させる。また、制御部８０は、マークＡ２とレチクルＬＴ１（ＬＴ２）との間に、撮影部と被検者眼とのＺ方向（作動距離方向）の距離を示すインジケータＩ１を表示させる。
【００２５】
以上のような前眼部観察画面２００ａを用いて、検者は、ジョイスティック４の操作で、マークＡ２とアライメント指標Ａ１とを合わせるように撮影部の移動操作を行う。一方、制御部８０は、アライメント指標Ａ１とマークＡ２とを比較してＸＹ方向の変位量を求める。また、無限遠の指標像Ｍａ，Ｍｅの間隔と有限遠の指標像Ｍｈ，Ｍｆの間隔とを比較してＺ方向のアライメント偏位量を求める。そして、マークＡ２とアライメント指標Ａ１が合致するように、三次元方向のアライメント偏位量が所定のアライメント許容範囲を満たしているかを求める。なお、作動距離方向のアライメントは、モニタ８に表示されるインジケータＩ１の本数の増減で表されるので、検者は、図２（ｂ）に示すように、インジケータＩ１の本数が１本となるようにジョイスティック４の操作で作動距離方向の位置合わせを行うようにする。以上のように、アライメントが合った状態で、検者は被検者眼の瞳孔径ＰがレチクルＬＴ１に掛からない程度の大きさとなっているかを確認する。
【００２６】
以上のようにして、アライメントが完了したら、制御部８０による眼底に対するフォーカス合わせが行われる。検者による入力スイッチ９４の操作で、制御部８０はモニタ８の表示画面を前眼部観察画面２００ａから眼底観察画面２００ｂに切換える。ここで、図３にモニタ８に表示される眼底観察画面２００ｂの例を示す。なお、ここでは、眼底Ｆのフォーカスが合っている状態が示されている。つまり、撮像素子３８でフォーカス指標像Ｓ１，Ｓ２が適切に検知されている状態で、検者がスプリット指標Ｓ１，Ｓ２が合致させるように、移動機構４５の駆動によりフォーカシングレンズ３２を光軸上で移動させることによって、眼底のフォーカスが合わせられている。
【００２７】
なお、眼底観察画面２００ｂにも、マーク８１、アイコン８２〜８５の他、各種グラフィック表示が用意されている。例えば、各種グラフィック表示としては、スプリット指標Ｓ１，Ｓ２の合致状態を示す電子的なインジケータＩ２の他、電子的に表示（スーパインポーズ）された電子アライメント指標（電子ワーキングドット）Ｗ２が、被検者眼に対する撮影部３のアライメント偏位量に基づき表示されると共に、電子アライメント指標Ｗ２によるアライメントを行う際の基準となるレチクルＭ２が表示される。また、レチクルＭ２の左右には、被検者眼に対する作動距離方向（Ｚ方向）のアライメント偏位量を表現するためのインジケータＩ３が表示される。なお、電子的なアライメント指標Ｗ２についての詳細な説明については特開２００７-２０２７２４号公報を参照されたい。
【００２８】
また、前眼部観察画面２００ａでアライメントがある程度適正にされていることにより、眼底観察画面２００ｂの眼底像Ｆ上には、光源５５で形成される角膜反射光による２つの光学アライメント指標Ｗ１（光学ワーキングドット）が現れる。また、ここでは、眼底照明光学系１０の光路に挿入されたレバー４５によって観察光束が遮光されることによって撮像素子３８上に遮光領域１４５が形成され、遮光領域１４５の先端（光軸上）に、眼底に投影された光学的なフォーカス指標像Ｓ１，Ｓ２が形成されている。
【００２９】
また、眼底観察画面２００ｂの右側には、制御部８０の表示制御により前眼部観察画面２００ａの縮小画面が表示される表示欄１００が重畳して形成されている。これにより、検者は眼底観察画面２００ｂに表示される眼底像Ｆと、表示欄１００に表示される前眼部像ＡＥとをモニタ８の同一画面で同時に観察できるようになる。
【００３０】
ところで、上述した前眼部観察画面２００ａには前眼部像ＡＥと共にマーク８１、各種アイコン８２〜８５、グラフィックが重畳して表示されている為、前眼部観察画面２００ａがそのまま縮小されて表示欄１００に表示されてしまうと、表示欄１００に各種マーク及びグラフィック表示も縮小表示されるようになり、表示欄１００の前眼部像ＡＥが観察しにくくなる。一方で、眼底観察時に、前眼部観察画面２００ａに用意されている各種グラフィックが利用されると、アライメント状態を確認しながらのフォーカス合わせを行えるようになり便利である。
【００３１】
そこで、本実施形態では、制御部８０による前眼部観察画面２００ａの画像処理によって、表示欄１００には、前眼部像ＡＥの表示と共に、前眼部観察画面２００ａに用意されている様々なマーク、グラフィックのうち、必要な情報のみが抽出されて表示されるようにしている（以下、前眼部画面１００ａとする）。このようにすると、表示欄１００を用いた前眼部観察が好適に行われると共に、フォーカス合わせがうまくいかない場合にその原因が特定しやすくなる。
【００３２】
ここで、表示欄１００に表示される前眼部画面１００ａの表示方法を説明する。図４は表示欄１００の画像処理ステップを示すフローチャートである。まず、ステップ２０１で、制御部８０は、撮像素子６５による撮影によって前眼部像の画像データを取得する（キャプチャする）。次に、ステップ２０２で、制御部８０は、取得された画像データを構成する画素の一部を所定のステップで間引く処理を行うことで、表示欄１００の表示サイズに合わせた画像データを構築して、モニタ８に表示する。次に、ステップ２０３で、制御部８０は、前眼部表示画面２００ａに用意されているマーク８１、各種アイコン８２〜８５及びグラフィック表示のうち、特定のグラフィック表示のみを選択して、表示欄１００のサイズに合わせて前眼部画像１００ａ上に電子的に合成表示させる（つまり、アライメント時の前眼部表示画面２００ａから、不要なマーク、アイコン等の情報を取り除く処理をする）。なお、表示欄１００に合成表示されるグラフィック表示は、装置によって予め設定されている他、入力スイッチ９４の操作で検者が選択出来るようにしても良い。
【００３３】
そして、ステップ２０４で眼底撮影の完了が判断されるまで、以上のようなステップ２０１〜２０３が繰り返し行われることで、表示欄１００には、所定のグラフィック表示が重畳された前眼部画像が動画表示されるようになる。
例えば、図５（ａ）の表示欄１００の拡大図に示すように、制御部８０は、前眼部像ＡＥに被検者眼の所要瞳孔径を示すレチクルＬＴ１（ＬＴ２）が合成表示された前眼部画面１００ａを表示欄１００に表示させる。このようなレチクルＬＴ１（ＬＴ２）は、前眼部観察画面２００ａと表示欄１００との表示倍率の違いに応じて縮小された大きさのレチクルＬＴ１（ＬＴ２）であり、前眼部観察画面２００に形成されたレチクルの表示位置に対応する表示欄１００の表示位置に電子的に形成される。これにより、検者は、眼底像Ｆと共に表示欄１００の前眼部画面１００ａを確認することで、被検者眼の瞳孔径Ｐが撮影に必要なサイズを満たしているかを確認することができる。これにより、被検者眼の瞳孔径Ｐが所要瞳孔径を満たしていない状態で撮影が行われることにより、眼底撮影像が暗く取得されてしまうなどの撮影ミスの発生が防止されるようになる。
【００３４】
また、図５（ｂ）の例に示されるように、制御部８０は、前眼部像ＡＥにアライメント指標Ａ１及びマークＡ２が合成表示された前眼部画面１００ａを表示欄１００に表示させるようにしても良い。これにより、検者は眼底像Ｆと共に表示欄１００を用いてアライメント状態を確認できるようになり、好適に眼底撮影を行うことができるようになる。また、アライメント状態を再確認するために、前眼部観察画面２００ａに戻るなどの操作を行わなくても済むようになり、眼底撮影動作をスムーズに行うことができるようになる。更には、前眼部観察画面２００ａに用いられているアライメント指標が、眼底像Ｆが表示された状態でも継続して使用されることで、検者の使い勝手が向上される。
【００３５】
なお、周辺撮影の場合には、固視標の呈示位置によっては瞳孔径Ｐにより撮影光束がケラレやすくなっている。そこで、周辺撮影の場合に、固視標の呈示位置に応じて、前眼部像上でのアライメント指標Ａ１，Ａ２の表示位置が補正されるようにしても良い。このようにすると、検者は眼底像を観察しながら、精度良くアライメントの微調節等を行えるようになる。
【００３６】
更には、前眼部観察画面２００ａには用意されていないグラフィック表示が、表示欄１００の前眼部画像１００ａに表示されるようにしても良い。例えば、図５（ｃ）の例に示されるように、前眼部画面１００ａ上にスプリット指標Ｓ１，Ｓ２の光束の通過位置Ａ１，Ａ２を表示しても良い。例えば、眼底像Ｆ上にスプリット指標Ｓ１，Ｓ２の一方（又は両方）が表示されない場合には、検者が眼底像Ｆのみを用いてどちらのスプリット指標Ｓ１，Ｓ２が欠けているのかを特定することは困難である。一方、眼底の周辺撮影では、固視標の呈示位置によって被検者眼の角膜中心と瞳孔中心とが一致しなくなるために、スプリット指標Ｓ１，Ｓ２がケラレ易くなっている。そこで、前眼部画面１００ａ上にスプリット指標Ｓ１，Ｓ２の通過位置Ａ１，Ａ２が示されると、検者は、眼底像Ｆと共に前眼部像上で示される通過位置Ａ１，Ａ２と瞳孔との位置関係を確認しながら、撮影部とのフォーカス合わせをより好適に行うことができるようになる。
【００３７】
なお、スプリット指標Ｓ１，Ｓ２の光束の通過位置Ａ１，Ａ２の表示位置は、アライメントが合った状態での瞳孔（角膜上）に対するスプリット指標Ｓ１，Ｓ２の位置情報（撮像素子６５の座標）を予めメモリ８５に記憶することで求められる。そして、制御部８０は、眼底観察時に表示欄１００の前眼部画像１００ａ上の対応する位置に、通過位置Ａ１，Ａ２を表示させる処理を行う。これにより、検者は眼底像Ｆと共にスプリット指標Ｓ１，Ｓ２のケラレ状態、スプリット指標と瞳孔との位置関係とを確認することができるようになる。
【００３８】
また、この場合には、制御部８０が前眼部像の瞳孔径Ｐと、スプリット指標Ｓ１，Ｓ２の通過位置Ａ１，Ａ２との位置関係を自動的に求め、スプリット指標Ｓ１，Ｓ２の通過位置Ａ１，Ａ２が瞳孔径Ｐから外れる場合（又は、スプリット指標Ｓ１，Ｓ２が虹彩に掛かっている場合）には、検者に報知するようにしても良い。例えば、図５（ｃ）に示すように、通過位置Ａ１（スプリット指標Ｓ１に対応している）に瞳孔Ｐに掛かっている場合に、制御部８０は、通過位置Ａ１の表示状態を変えるようにする（例えば、形状、色などの表示状態を変える）。このようにすると、検者にスプリット指標のケラレ位置を視覚的に分かり易く示すことができるようになる。これ以外にも、瞳孔Ｐと通過位置Ａ１，Ａ２とが重なる場合には、音声、モニタ８上に別のメッセージ画面を表示させること等によって、検者にエラーが発生していることを知らせるようにしても良い。また、メッセージ画面に、通過位置Ａ１、Ａ２が瞳孔径Ｐに重ならないように、検者に装置の移動方向を示すような内容が示されても良い。
【００３９】
検者は、前眼部画面１００ａを確認しながら、ケラレている側のスプリット指標Ｓ１，Ｓ２が瞳孔を通過するように、ジョイスティック４の操作で撮影部を移動させるようにする。又は、制御部８０は、瞳孔径Ｐによる通過位置Ａ１，Ａ２のケラレの検出結果をオートトラッキングに反映させることで、瞳孔Ｐと通過位置Ａ１、Ａ２とが重ならない位置でのトラッキングが行われるようにする。このように、表示欄１００の前眼部画面１００ａにスプリット指標の光束の通過位置Ａ１，Ａ２の情報が表示されることで、検者はモニタ８に眼底像が表示された状態で、容易に装置と被検者眼とのアライメントを調節できるようになる。
【００４０】
以上のようにして、検者はモニタ８の同一画面に表示された眼底観察画面２００ｂと表示欄１００（前眼部画面１００ａ）とを観察しながら、必要があればアライメント等の微調整を行う。そして、フォーカスが合った状態で、撮影スイッチ９３を押す。制御部８０は撮影スイッチ９３によるトリガ信号によって、挿脱機構３９と挿脱機構６６の駆動により、ダイクロイックミラー２４と跳ね上げミラー３４とを撮影光軸Ｌ１から外すと共に、眼底撮影光学系の可視光源を点灯させる。可視光束で照明された眼底Ｅからの反射光は、対物レンズ２５，撮影絞り３１から結像レンズ３３までの光学系を介して、二次元撮像素子３５で受光される。制御部８０は、二次元撮像素子３５による撮像で得られた撮影画像をメモリ９５に記憶させると共に、モニタ８に眼底の撮影画像を表示させる処理を行う。
なお、表示欄１００の前眼部画面１００ａ上に合成表示されるグラフィックは、用途に応じて選択されれば良く、上述したような各グラフィックは組み合わせて表示されても良い。
【００４１】
また、上記の説明では、モニタ８の表示が眼底観察画面２００ｂのときに、表示欄１００に前眼部画面１００ａが表示される例を説明した。これ以外にも、前眼部観察画面２００ａに上述したような表示欄が用意されても良い。この場合、表示欄には、眼底像のサムネイルが表示されると共に、眼底観察画面２００ｂの画像処理によって所定のグラフィック表示（フォーカス状態を示すためのグラフィック表示。例えば、スプリット指標、スプリット指標の合致状態を示すインジケータ等）のみが表示されるようにする。このようにすると、検者はモニタ８に前眼部観察画面２００ａが表示された状態で、眼底のフォーカス状態の確認を同時に行えるようになる。
【００４２】
また、タッチパネルの操作により表示欄１００が選択されたときに、表示欄１００に表示されている各種画面が拡大表示（元のサイズの表示状態に戻る）ようにする。これにより、モニタ８の表示を前眼部観察画面と眼底観察画面とで簡単に切換えられるようになる。なお、各種画面が拡大表示される場合には、制御部８０は、予め用意されている各種マーク、グラフィック表示を、各種画面上に元通りに表示させるようにする。このようにすると、検者は用途に応じてモニタ８の表示画面を容易に切換えることができ、使い勝手が向上される。
【００４３】
更には、表示欄１００に表示される各観察画像の倍率が任意に変更されるようにしても良い。例えば、検者によるタッチパネルの操作で表示欄１００に表示される観察画像の倍率が変更されると、制御部８０は入力信号に応じて、撮像素子６５又は３８で得られる観察像を構成する画像データのうち、倍率に応じた観察画像の画像データの再構築を行う。この時、観察画像と共に表示欄１００に表示される各種グラフィック表示も、これに合わせた表示状態に切換えられるようにする。これにより、表示欄１００の表示状態をより見やすくできる。
【図面の簡単な説明】
【００４４】
【図１】眼底撮影装置の光学系及び制御系の概略構成図である。
【図２】モニタに表示される前眼部観察画面の例である。
【図３】モニタに表示される眼底観察画面の例である。
【図４】表示欄の画像処理ステップを示すフローチャートである。
【図５】表示欄を説明するための拡大図である。
【符号の説明】
【００４５】
８  モニタ
１０  照明光学系
２４  ダイクロイックミラー（光路分岐部材）
３０  眼底観察・撮影光学系
４０  スプリット指標投影光学系
３５、３８、６５  二次元撮像素子
５０  アライメント指標投影光学系
６０  前眼部観察光学系
７０  固視標呈示光学系
８０  制御部
【図１】
0005772101.tif 000002
【図２】
0005772101.tif 000003
【図３】
0005772101.tif 000004
【図４】
0005772101.tif 000005
【図５】
0005772101.tif 000006